(57)【要約】【課題】  材質がポリエチレンやポリプロピレンでも、表面に直接デザインを施すことができる建築工事用メッシュシートを提供する。【解決手段】  ポリエチレン又はポリプロピレンのメッシュシート３からなる建築工事用メッシュシートであって、前記メッシュシート表面にはインクジェットプリンタ６による印刷８が施されていることを特徴とする。また実施態様として、前記メッシュシート３は、コロナ処理されたもの、II類の防炎メッシュシート、１９本／インチ又は２７本／インチのピッチで平織りされたものなどが用いられる。【選択図】  図１
0003129116.tif 000002
【実用新案登録請求の範囲】
【請求項１】
ポリエチレン又はポリプロピレンのメッシュシートからなる建築工事用メッシュシートであって、
前記メッシュシート表面にはインクジェットプリンタによる印刷が施されていることを特徴とする建築工事用メッシュシート。
【請求項２】
前記メッシュシートは、コロナ処理されたものであることを特徴とする請求項１記載の建築工事用メッシュシート。
【請求項３】
前記メッシュシートは、II類の防炎メッシュシートであることを特徴とする請求項１又は２記載の建築工事用メッシュシート。
【請求項４】
前記メッシュシートは、１９本／インチ又は２７本／インチのピッチで平織りされたものであることを特徴とする請求項１乃至３いずれか記載の建築工事用メッシュシート。
【考案の詳細な説明】
【技術分野】
【０００１】
本考案は、建築工事現場等で飛散防止やコンクリートの養生に用いられる建築工事用メッシュシートに関する。ここで「建築工事」とは、建物の新築工事、既存建物の外壁改修工事、土木工事等を含むものである。
【背景技術】
【０００２】
建築工事現場等では、散乱物や塗料の飛散防止やコンクリートの養生のためにメッシュシートが用いられている。主に、建物の外壁を覆うのに用いられることが多いが、工事現場の周囲を覆うのに用いられることもある。従来、建物の外壁を覆う場合は、建物の周囲に枠組足場を作り、その外側をメッシュシートで覆っている。
従来、建物の外壁の工事においては建物の周囲に枠組足場を作ることが多かったが、近年、建物の周囲に枠組足場を作らずに建物の屋上からゴンドラを吊るすことにより外壁の工事を行う工法が注目されている。この工法は既存の建物の外壁工事において特に効果的である。既存の建物の外壁工事の場合、該建物が使用されている状態で工事を行うことが多いが、枠組足場を作る従来の工法では１階部分が枠組足場でふさがれてしまい営業に支障が出る。ゴンドラを用いる工法では、建物の１階部分を開放状態にできるので、営業を妨げることなく外壁の工事ができる。
【０００３】
このように、ゴンドラを用いた外壁工事は近年注目されている。しかし、ゴンドラ工法に用いられる建築工事用メッシュシートは非常に大きなもの（よこ３．６ｍ×たて数１０ｍ）になってしまう。従来の枠組足場を用いる工法では建築工事用メッシュシートは枠組足場に固定すれば良かったので比較的小さいもの（よこ１．８ｍ×たて３．６〜５．１ｍ程度）で済んだ。しかしながら、ゴンドラ工法ではゴンドラが通る部分の外側に建築工事用メッシュシートを設置するため、メッシュシートは建物の上部と下部にしか固定することができず非常に大きなものになる。このような理由から、従来は建築工事用メッシュシートとして塩化ビニルが用いられることが多かったが、ゴンドラ工法用のメッシュシートは軽量で強度に優れたポリエチレンやポリプロピレンが用いられる。
【０００４】
このようにゴンドラ工法では、ポリエチレンやポリプロピレンの建築工事用メッシュシートが用いられるが、ポリエチレンやポリプロピレンは塗料や染料による表面塗装が難しいという欠点がある。ポリエチレンやポリプロピレンに表面塗装をしても、材料の性質上、塗料や染料が剥がれやすいからである。塩化ビニルの建築工事用メッシュシートの場合は、このような問題は起きない。
建築工事現場等では美観を気にするため、建物を覆う建築工事用メッシュシートに何らかのデザイン（例えば、建築会社のロゴや建築中の建物の宣伝など）をしたいという要望が強い。しかしながら、ポリエチレンやポリプロピレンの建築工事用メッシュシートでは、上記理由から表面にデザインを施すのは困難であった。ロゴなどのデザインを施したシートを建築工事用メッシュシートの上に別途張り付けることも考えられるが、強風に対する安全性や美観の観点から好ましくない。
【０００５】
従来技術として特許文献１乃至３がある。これらには建築工事用メッシュシートについては記載されているが、メッシュシートの表面にデザインを施す点については記載されていない。
【特許文献１】特開２００３−２５３５４１号公報
【特許文献２】特開２００４−１９０６７号公報
【特許文献３】特開平１１−２００１８０号公報
【考案の開示】
【考案が解決しようとする課題】
【０００６】
本考案は上記事情に鑑み、材質がポリエチレンやポリプロピレンでも、表面に直接デザインを施すことができる建築工事用メッシュシートを提供することを目的とする。
【課題を解決するための手段】
【０００７】
前記課題を解決するため、本考案は以下の構成を有する。
ポリエチレン又はポリプロピレンのメッシュシートからなる建築工事用メッシュシートであって、前記メッシュシート表面にはインクジェットプリンタによる印刷が施されていることを特徴とする建築工事用メッシュシート。
【０００８】
また、以下の実施態様を有する。
前記メッシュシートはコロナ処理されたものである。
前記メッシュシートはII類の防炎メッシュシートである。
前記メッシュシートは１９本／インチ又は２７本／インチのピッチで平織りされたものである。
【考案の効果】
【０００９】
本考案者による実験により、通常は塗料が表面に付着しにくいポリエチレンやポリプロピレンのメッシュシートでも、インクジェットプリンタによる印刷では染料が表面に付着し、実用レベルの印刷ができることが実証された。また、通常、インクジェットプリンタに幅３．６ｍ×長さ数１０ｍのメッシュシートを通すことはしないが、本考案者が試してみたところ、良好な結果が得られることが確認された。このように、従来は塗装が困難であったポリエチレンやポリプロピレンの建築工事用メッシュシートに、インクジェットプリンタによる印刷を施すことで、簡単な手段でメッシュシート表面に所望のデザインを施すことができる。
さらに、メッシュシート表面にコロナ処理を施すことにより、より染料が付着しやすくなり、インクジェットプリンタによる印刷の効果が増大する。
【考案を実施するための最良の形態】
【００１０】
本考案の実施形態の一例について、図面を用いて説明する。
図1は、ゴンドラ工法による建築工事現場の概略図である。建物外壁工事現場１において、ゴンドラ２を屋上から吊るし、ゴンドラ２の上に作業者が乗り、建物の外壁工事を行う。ゴンドラ２の外側には、ポリエチレン又はポリプロピレンからなるメッシュシート３が設置されている。本実施形態では、メッシュシート３の幅は約３．６ｍで長さは数１０ｍである。メッシュシート３の両端には約４ｃｍの縁処理が施されている。建物の１階部分５の上には架台４が設置されている。ゴンドラ２は架台４までしか降りてこないので、建物の１階部分５は開放されており、店舗などの通常営業が可能である。メッシュシート３には、インクジェットプリンタによりロゴやデザイン８が印刷されている。図1では建築会社の名前がデザインされているが、このほかに建築中の建物の宣伝や、アーティストによるデザインを印刷することも可能である。さらに、建築工事用メッシュシートは多くの人の目に触れやすいことから、建築中の建物や建築会社の宣伝に限らず、一般の広告媒体として利用することもできる。
【００１１】
図２は、本考案のメッシュシートの印刷をするためのインクジェットプリンタの一例である。インクジェットプリンタ６にメッシュシート３が通される。メッシュシート３は図の矢印の方向に巻き取られ、ヘッド７が左右に移動することによりメッシュシート３上にデザインが印刷される。インクジェットプリンタ６は、例えば３．６ｍ幅のメッシュシートを通すことができる幅を有している。これらの条件を満たすインクジェットプリンタとして、例えば、NUR社のExpedio5000、ルキオ社のJeti5000、ヒューレットパッカード社のHP Scitex XL1500などがあるが、十分な幅のメッシュシートを通すことができればこれらのインクジェットプリンタに限定されるものではない。
【００１２】
メッシュシートにそのままインクジェットプリンタで印刷しても十分であるが、メッシュシートの表面にコロナ処理を行うことで、より耐久性が高い印刷が可能となる。コロナ処理とは、コロナ放電を用いた表面処理技術である。一般に、ポリエチレンやポリプロピレンのメッシュシートは細いプラスチックの糸を編んであるため、従来は、細いプラスチックの糸の表面にコロナ処理をしてしまうとメッシュシートの強度が落ちてしまうと考えられていた。しかし、本考案者が強度試験をした結果、ポリエチレンやポリプロピレンのメッシュシートにコロナ処理をしてもほとんど強度が落ちず、十分に実用強度であることを確認した。
【００１３】
以上、本考案の実施形態の一例を説明したが、本考案はこれに限定されるものではなく、実用新案登録請求の範囲に記載された技術的思想の範疇において各種の変更が可能であることは言うまでもない。
【図面の簡単な説明】
【００１４】
【図１】ゴンドラ工法による建築工事現場の概略図
【図２】インクジェットプリンタによるメッシュシート印刷の概略図
【符号の説明】
【００１５】
１      建物外壁工事現場
２      ゴンドラ
３      メッシュシート
４      架台
５      建物の１階部分
６      インクジェットプリンタ
７      ヘッド
８      ロゴやデザイン
【図１】
0003129116.tif 000003
【図２】
0003129116.tif 000004
【手続補正書】
【提出日】平成18年11月22日(2006.11.22)
【手続補正１】
【補正対象書類名】実用新案登録請求の範囲
【補正対象項目名】全文
【補正方法】変更
【補正の内容】
【実用新案登録請求の範囲】
【請求項１】
ポリエチレン又はポリプロピレンのメッシュシートからなる建築工事用メッシュシートであって、
前記メッシュシートは細いプラスチックの糸を編んだものであり、
前記メッシュシート表面にはインクジェットプリンタによる印刷が施されていることを特徴とする建築工事用メッシュシート。
【請求項２】
前記メッシュシートは、コロナ処理されたものであることを特徴とする請求項１記載の建築工事用メッシュシート。
【請求項３】
前記メッシュシートは、II類の防炎メッシュシートであることを特徴とする請求項１又は２記載の建築工事用メッシュシート。
【請求項４】
前記メッシュシートは、１９本／インチ又は２７本／インチのピッチで平織りされたものであることを特徴とする請求項１乃至３いずれか記載の建築工事用メッシュシート。